【手続補正書】
【提出日】平成25年2月7日(2013.2.7)
【手続補正１】
【補正対象書類名】明細書
【補正対象項目名】００１７
【補正方法】変更
【補正の内容】
【００１７】
【図１】本発明の第１の実施の形態に係るケース構造が適用された流体圧ユニットの外観斜視図である。
【図２】図１に示す流体圧ユニットの正面図である。
【図３】図１の流体圧ユニットを構成するフィルタの分解断面斜視図である。
【図４】図３に示すフィルタの全体断面図である。
【図５】図１の流体圧ユニットを構成するフィルタの分解斜視図である。
【図６】図５のフィルタを構成するケースユニットの分解斜視図である。
【図７】図５のフィルタを構成するフィルタユニットの分解斜視図である。
【図８】図８Ａは、図２のＶＩＩＩＡ−ＶＩＩＩＡ線に沿った断面図であり、図８Ｂは、図８Ａのリリースボタンが下降し、第１ボディとケースユニットとの回転規制状態が解除された状態を示す断面図である。
【図９】図１の流体圧ユニットを構成するルブリケータの全体断面図である。
【図１０】図１のルブリケータを構成するケースユニットの分解斜視図である。
【図１１】本発明の第２の実施の形態に係るケース構造が適用された流体圧ユニットの外観斜視図である。
【図１２】図１１に示す流体圧ユニットの正面図である。
【図１３】図１２の流体圧ユニットを構成するフィルタレギュレータの全体断面図である。
【手続補正２】
【補正対象書類名】明細書
【補正対象項目名】００２０
【補正方法】変更
【補正の内容】
【００２０】
この流体圧ユニット１０は、図１及び図２に示されるように、圧力流体中に含まれる塵埃等を除去するフィルタ１２と、前記圧力流体の圧力を減圧するレギュレータ１４と、前記圧力流体に対して潤滑油を混合するルブリケータ１６と、前記フィルタ１２、レギュレータ１４及びルブリケータ１６を互いに連結する接続装置１８ａ、１８ｂとから構成される。
【手続補正３】
【補正対象書類名】明細書
【補正対象項目名】００２１
【補正方法】変更
【補正の内容】
【００２１】
上述したフィルタ１２、レギュレータ１４及びルブリケータ１６が、その内部に圧力流体の供給される流体圧機器として機能し、前記レギュレータ１４が前記フィルタ１２とルブリケータ１６との間となるように配置される。
【手続補正４】
【補正対象書類名】明細書
【補正対象項目名】００４９
【補正方法】変更
【補正の内容】
【００４９】
保持部８８は、円柱状に形成され、本体部８６に対して連結されると共に該本体部８６から軸方向（矢印Ｂ方向）に所定間隔離間して設けられる。そして、保持部８８には、外周面から一対のピン９８が突出し、該ピン９８が後述するバッフル８４の溝部１００に挿入されることによって前記保持部８８に対して前記バッフル８４が連結される。また、保持部８８の外周側には、円筒状のフィルタエレメント８０が挿通される。
【手続補正５】
【補正対象書類名】明細書
【補正対象項目名】００５０
【補正方法】変更
【補正の内容】
【００５０】
バッフル８４は、円盤状に形成されたベース部１０２と、該ベース部１０２の上部に形成されディフレクタ８２の保持部８８に連結される連結部１０４と、前記ベース部１０２の下部に形成されるスカート部１０６とを含む。ベース部１０２は、略平面状に形成され、その上面にフィルタエレメント８０の下端面が当接して保持される。連結部１０４は、上方に向かって徐々に先細状となる断面円錐形状で形成され、その壁面に沿って一組の溝部１００が周方向に沿って延在している。
【手続補正６】
【補正対象書類名】明細書
【補正対象項目名】００５１
【補正方法】変更
【補正の内容】
【００５１】
そして、ディフレクタ８２の保持部８８がフィルタエレメント８０に挿通された状態で、連結部１０４の内部に前記保持部８８を挿入し、ピン９８をそれぞれ溝部１００に挿入した後、前記保持部８８とバッフル８４とを互いに反対方向となるように周方向に所定角度だけ回転させる。これにより、ピン９８が溝部１００の端部まで移動して係合される。その結果、ディフレクタ８２とバッフル８４との軸方向（矢印Ａ、Ｂ方向）への相対的な変位が規制され、フィルタエレメント８０がディフレクタ８２とバッフル８４との間に保持された状態で、前記保持部８８に対して前記バッフル８４が連結される。
【手続補正７】
【補正対象書類名】明細書
【補正対象項目名】００６０
【補正方法】変更
【補正の内容】
【００６０】
ケースユニット１１６は、有底筒状に形成されたアウターケース１３６と、該アウターケース１３６の内部に挿入されるインナーケース１３８と、前記アウターケース１３６に対して変位自在に設けられるリリースボタン１４０とを含む。このインナーケース１３８は、アウターケース１３６の内部に収納され、該アウターケース１３６の外部に露呈することがない。なお、このケースユニット１１６の構成は、上述したフィルタ１２のケースユニット２２とほぼ同様であるため、同一の構成要素には同一の参照符号を付して、その詳細な説明を省略する。
【手続補正８】
【補正対象書類名】明細書
【補正対象項目名】００７４
【補正方法】変更
【補正の内容】
【００７４】
そして、インナーケース１３８内に充填された潤滑油が、導油チューブ１６０を通じてホルダ１２０側へと流通した後、油通路１５４を通じて貯留室１５２に供給され、該貯留室１５２から滴下口１５６を通じて第４連通路１４８内へと滴下される。これにより、第４連通路１４８を流通する圧力流体に潤滑油が所望量だけ混合される。なお、油供給ポート１５８には、油通路１５４からインナーケース１３８側への潤滑油の逆流を防止するための逆止弁１６４が設けられている。
【手続補正９】
【補正対象書類名】特許請求の範囲
【補正対象項目名】全文
【補正方法】変更
【補正の内容】
【特許請求の範囲】
【請求項１】
圧力流体が内部に導入されるケースを有した流体圧機器のケース構造であって、
前記流体圧機器は、前記圧力流体の供給・排出されるポートを有したボディと、
前記ボディの装着孔に連結され、内部が前記ポートと連通する有底筒状のケースと、
を備え、
前記ケースは、内部を視認可能な透過性を有し、第１ケース部と、前記第１ケース部の内部に設けられる第２ケース部とを備え、前記第１及び第２ケース部の少なくともいずれか一方の外周面に設けられた第１係合部が、前記装着孔の内周面に形成された第２係合部に係合されることを特徴とする流体圧機器のケース構造。
【請求項２】
請求項１記載のケース構造において、
前記第１係合部は、前記ケースの外周面に対して半径外方向に突出し、前記第２係合部は、前記内周面に対して半径内方向に突出して形成され、前記ケースを前記装着孔内で前記ボディに対して回転させることによって前記第１係合部と第２係合部とが係合されることを特徴とする流体圧機器のケース構造。
【請求項３】
請求項２記載のケース構造において、
前記ケースには、該ケースと前記ボディとの相対的な回転変位を規制するストッパ手段が設けられることを特徴とする流体圧機器のケース構造。
【請求項４】
請求項３記載のケース構造において、
前記ストッパ手段は、前記ケースの軸線方向に変位自在に設けられ、前記ボディの凹部に挿入されることによって前記ボディに対する回転変位が規制されることを特徴とする流体圧機器のケース構造。
【請求項５】
請求項１〜４のいずれか１項に記載のケース構造において、
前記流体圧機器は、前記ケースの内部にフィルタエレメントが収納され、前記圧力流体に含まれる塵埃等を除去可能なフィルタであることを特徴とする流体圧機器のケース構造。
【請求項６】
請求項１〜４のいずれか１項に記載のケース構造において、
前記流体圧機器は、前記ケースの内部に潤滑油が充填され、該潤滑油を前記圧力流体に混合させて前記ポートから排出するルブリケータであることを特徴とする流体圧機器のケース構造。
【請求項７】
請求項１〜４のいずれか１項に記載のケース構造において、
前記流体圧機器は、前記ケースの内部にフィルタエレメントが収納され、且つ、前記ボディに前記圧力流体の圧力を調整可能な調圧機構を備えたフィルタレギュレータであることを特徴とする流体圧機器のケース構造。
【手続補正１０】
【補正対象書類名】図面
【補正対象項目名】図９
【補正方法】変更
【補正の内容】
【図９】
2012232280.tif 000001